(57)【特許請求の範囲】
【請求項１】
一方用紙および他方用紙の幅方向に１台のプリンタでそれぞれにプリント可能かつプリント後の一方用紙および他方用紙を搬送方向に搬送可能なプリンタの用紙搬送装置であって、
用紙フィードローラーの長手方向に並列セットされかつ当該用紙フィードローラーと係合状態にある前記一方用紙および他方用紙を当該用紙フィードローラーの回転により搬送方向に双方同時搬送可能に形成し、搬送後の前記他方用紙を搬送方向下流側に配設された巻取リールの回転力を利用して当該巻取リールに巻取可能に形成するとともに前記一方用紙および他方用紙と用紙フィードローラーとを係合解除状態に選択的に切替えることにより前記一方用紙および他方用紙を用紙フィードローラーの回転によっては双方同時搬送不能に形成し、前記一方用紙および他方用紙の用紙フィードローラーの回転による双方同時搬送不能状態において巻取リールを回転可能かつ巻取リールの回転力を利用して当該他方用紙を巻取リールに巻取りつつ他方用紙のみを搬送方向に搬送可能に形成された、プリンタの用紙搬送装置。
【請求項２】
前記用紙フィードローラーと前記巻取リールとが同一の駆動源で回転可能かつ前記他方用紙の搬送に関して前記用紙フィードローラーによる搬送速度と前記巻取リールによる搬送速度とが同一速度となるように形成されている請求項１記載のプリンタの用紙搬送装置。
【請求項３】
請求項１または請求項２記載のプリンタの用紙搬送装置を具備し、前記一方用紙がレシート用紙でかつ前記他方用紙がジャーナル用紙とされている商品販売データ処理システム。
【発明の詳細な説明】
【０００１】
【発明の属する技術分野】
本発明は、搬送停止状態の一方用紙および他方用紙の幅方向に１台のプリンタでそれぞれにプリント可能かつプリント後の一方用紙および他方用紙を搬送方向に搬送可能なプリンタの用紙搬送装置およびこれを具備する商品販売データ処理システムに関する。
【０００２】
【従来の技術】
例えば、電子キャッシュレジスタ型の商品販売データ処理システムでは、商品販売データをレシート用紙にプリントし顧客に手渡す。また、ジャーナル用紙にプリントしかつプリント後に巻取リールに巻き取った状態で保管する。
【０００３】
ここに、レシート用紙（例えば、一方用紙）およびジャーナル用紙（例えば、他方用紙）に所定のプリント内容をプリントする方法としては、それぞれ専用のプリンタを設ける場合と，１台のプリンタを設ける場合がある。前者は、後者の場合に比較して、装置大型化を招きかつコスト高になる。
【０００４】
しかし、後者において１台のプリンタでレシート用紙とジャーナル用紙とを幅方向にプリントできたとしても、各用紙を所定の搬送方向に搬送するための用紙搬送装置を２台設けたのでは、前者の場合と同様な不利を招く。
【０００５】
かくして、後者においても、１台の用紙搬送装置で双方用紙を搬送する装置が提案されている。すなわち、レシート用紙とジャーナル用紙とを、平面上で搬送双方と直交する方向に並列状態でセット（以下、この明細書では、“並列セット”と略称する。）しかつこれら用紙に共通なローラー等を利用してレシート用紙（一方用紙）および他方用紙（ジャーナル用紙）を搬送可能な構造である。
【０００６】
【発明が解決しようとする課題】
ところで、一方用紙および他方用紙に同種（あるいは異種）でかつ同量（行列）の情報を、各用紙の送り量を同じとして同時乃至同時的にプリントできる場合は問題がないが、片方の用紙にプリントする情報が少ない場合あるいは片方の用紙のみにプリントする場合に、プリントされる情報量が少ない方の一方（他方）用紙あるいはプリントしない方の他方（一方）用紙を無駄に消費することになる。
【０００７】
例えば、商品販売データ処理システムの場合、客に手渡すレシート（一方用紙）には１取引の商品販売データに基づくレシートプリント情報がプリントされる。しかし、ジャーナル（他方用紙）には、各種分析，税的規約等の要請・制約があるので、ジャーナルとしては該レシートプリント情報の情報量に比較して遥かに多量なジャーナルプリント情報がプリントされ、レポートとしては客との取引終了時に、つまりレシートをプリント発行する必要のない期間中に、レポート情報をプリントすることになる。
【０００８】
かくして、搬送機会が多くかつ各搬送に際する用紙送り量が大きなジャーナル用紙（他方用紙）の搬送に伴ってレシート用紙（一方用紙）が常にかつ同期的に搬送されてしまう場合には、レシート用紙（一方用紙）の大変な無駄遣いが生じると理解される。
【０００９】
だからと言って、レシート用紙（一方用紙）の搬送量の軽減化をすることを事由にジャーナル用紙（他方用紙）の搬送量や搬送時期を無理やり制限することは、円滑な商品販売業務を阻害することになるので、回避すべきである。
【００１０】
本発明の第１の目的は、小型化および低コスト化を図りつつ、プリント情報量が少ない方のあるいはプリントしない方の一方用紙の無駄な消費を防止することができるプリンタの用紙搬送装置を提供することにある。また、第２の目的は、装置およびシステムの小型化および低コスト化を図りつつ、プリントする機会およびレシートプリント情報量が少ないレシート用紙の無駄な消費を防止可能なプリンタの用紙搬送装置を具備する商品販売データ処理システムを提供することにある。
【００１１】
【課題を解決するための手段】
請求項１の発明は、一方用紙および他方用紙の幅方向に１台のプリンタでそれぞれにプリント可能かつプリント後の一方用紙および他方用紙を搬送方向に搬送可能なプリンタの用紙搬送装置であって、用紙フィードローラーの長手方向に並列セットされかつ当該用紙フィードローラーと係合状態にある前記一方用紙および他方用紙を当該用紙フィードローラーの回転により搬送方向に双方同時搬送可能に形成し、搬送後の前記他方用紙を搬送方向下流側に配設された巻取リールの回転力を利用して当該巻取リールに巻取可能に形成するとともに前記一方用紙および他方用紙と用紙フィードローラーとを係合解除状態に選択的に切替えることにより前記一方用紙および他方用紙を用紙フィードローラーの回転によっては双方同時搬送不能に形成し、前記一方用紙および他方用紙の用紙フィードローラーの回転による双方同時搬送不能状態において巻取リールを回転可能かつ巻取リールの回転力を利用して当該他方用紙を巻取リールに巻取りつつ他方用紙のみを搬送方向に搬送可能に形成されたプリンタの用紙搬送装置である。
【００１２】
かかる発明では、用紙フィードローラーを所定方向に回転させると、当該用紙フィードローラーの長手方向に並列セットされかつ当該用紙フィードローラーと係合状態にあるプリント対象である一方用紙および他方用紙を、搬送方向に双方同時搬送することができる。また、搬送後の他方用紙を搬送方向下流側に配設された巻取リールの回転力を利用して当該巻取リールに巻取ることができる。そして、例えば、搬送停止状態の一方用紙および他方用紙の幅方向に１台のプリンタでそれぞれにプリントすることができる。
【００１３】
一方用紙および他方用紙と用紙フィードローラーとを係合解除状態に選択的に切替えると、用紙フィードローラーの回転によっては当該一方用紙および他方用紙を同時に搬送することが不能になる。この係合解除状態に選択切替された後に、巻取リールが回転されると、当該巻取リールの回転力を利用して他方用紙のみを搬送させつつ当該巻取リールに巻取ることができる。
【００１４】
すなわち、選択的に一方用紙を搬送させずにかつ他方用紙のみを所定方向に搬送しつつ巻取リールに巻取ることができる。よって、小型化および低コスト化を図りつつ、プリント情報量が少ない方のあるいはプリントしない方の一方用紙の無駄な消費を防止することができる。
【００１５】
また、請求項２の発明は、前記用紙フィードローラーと前記巻取リールとが同一の駆動源で回転可能かつ前記他方用紙の搬送に関して前記用紙フィードローラーによる搬送速度と前記巻取リールによる搬送速度とが同一速度となるように形成されたプリンタの用紙搬送装置である。
【００１６】
かかる発明では、用紙フィードローラーと巻取リールとは、同一の駆動源で回転される。他方用紙の搬送に関して、用紙フィードローラーによる場合の搬送速度と，巻取リールによる場合の巻取速度（搬送速度）とは同一速度であるから、請求項１の発明の場合と同様な作用効果を奏することができることに加え、さらに他方用紙の安定した搬送・巻取を担保しつつ、大幅な構造簡単化および低コスト化を促進できる。
【００１７】
さらに、請求項３の発明は、請求項１または請求項２記載のプリンタの用紙搬送装置を具備し、前記一方用紙がレシート用紙でかつ前記他方用紙がジャーナル用紙とされている商品販売データ処理システムである。
【００１８】
かかる発明では、請求項１のプリンタ用紙搬送装置を具備すれば、用紙フィードローラーを所定方向に回転させると、当該用紙フィードローラーの長手方向に並列セットされかつ当該用紙フィードローラーと係合状態にあるプリント対象のレシート用紙およびジャーナル用紙を搬送方向に双方同時搬送することができる。また、搬送後のジャーナル用紙を搬送方向下流側に配設された巻取リールの回転力を利用して当該巻取リールに巻取ることができる。
【００１９】
しかし、レシート用紙およびジャーナル用紙と用紙フィードローラーとの係合解除状態に選択的に切替えると、レシート用紙およびジャーナル用紙を同時に搬送することが不能になる。この係合解除状態に選択切替した後に、巻取リールを回転させると、当該巻取リールの回転力を利用してジャーナル用紙のみを搬送させつつ当該巻取リールに巻取ることができる。
【００２０】
すなわち、選択的にレシート用紙を搬送させずにかつジャーナル用紙のみを所定方向に搬送しつつ巻取リールに巻取ることができる。よって、レシート用紙の無駄遣いを防止できる。
【００２１】
また、請求項２のプリンタ用紙搬送装置を具備すれば、駆動源を起動すると、用紙フィードローラーのジャーナル用紙の搬送速度と巻取リールによるジャーナル用紙の巻取速度（搬送速度）とは、同一速度になるから、ジャーナル用紙の安定した搬送・巻取を担保しつつ、商品販売データ処理システム全体としての大幅な構造簡単化，消費電力の軽減化および低コスト化を促進できる。
【００２２】
【発明の実施の形態】
以下、本発明の実施形態について図面を参照して説明する。
【００２３】
本プリンタの用紙搬送装置は、図３〜図５に示す如く、用紙フィードローラー３０の長手（Ｙ）方向に並列セットされかつ当該用紙フィードローラー３０と係合状態にある一方用紙（Ｒ）および他方用紙（Ｊ）の双方を当該用紙フィードローラー３０の回転により搬送（Ｘ）方向に双方同時搬送可能に形成し、搬送後の他方用紙（Ｊ）を搬送方向下流側に配設された巻取リール３５の回転力を利用して当該巻取リール３５（３５Ｓ）に巻取可能に形成するとともに、一方用紙（Ｒ）および他方用紙（Ｊ）と用紙フィードローラー３０とを係合解除状態に選択的に切替えて一方用紙（Ｒ）および他方用紙（Ｊ）の双方を用紙フィードローラー３０の回転によっては双方同時搬送不能に形成し、一方用紙（Ｒ）および他方用紙（Ｊ）の双方の用紙フィードローラー３０の回転による双方同時搬送不能状態において巻取リール３５を回転可能かつ巻取リール３５の回転力を利用して当該他方用紙（Ｊ）を巻取リール３５に巻取りつつ他方用紙（Ｊ）のみをＸ方向に搬送可能に形成されている。
【００２４】
そして、本プリンタ２２およびその用紙搬送装置は、電子キャッシュレジスタ１０からなる商品販売データ処理システムのレシートおよびジャーナルのプリント発行に使用されかつレシート用紙Ｒ（一方用紙）およびジャーナル用紙Ｊ（他方用紙）の搬送に使用される。
【００２５】
すなわち、この実施形態では、一方用紙がレシート用紙Ｒとされ、これにレシートプリント情報をプリントしかつ切断してレシートを発行できる。また、他方用紙がジャーナル用紙Ｊとされ、これにジャーナルプリント情報をプリントしかつ巻取リール３５にジャーナルとして巻き取られる。さらに、レポートプリント情報をプリントして各種のレポートを発行できる。
【００２６】
そこでまず、図１を参照して、商品販売データ処理システムの各ターミナルを構成する電子キャッシュレジスタ１０を説明する。この電子キャッシュレジスタ１０は、ＣＰＵ１１，ＲＯＭ１２，ＲＡＭ１３，ＨＤＤ１４，スキャナ（図示省略），キーボード（ＫＢ）２０，表示器２１（キャッシャー用表示器２１Ｃおよび客用表示器２１Ｔ），レシート・ジャーナルプリント用のプリンタ（ＰＮＴ）２２および自動開放装置付きのドロワ（ＤＲＷ）２３を含み、商品販売データ処理機能（商品登録機能，会計処理機能等）を有する。外観は、図２に示す通りである。
【００２７】
プリンタ（ＰＮＴ）２２は、図４のＹ（幅）方向にプリント可能な１台つまり１つの印字ヘッド（図示省略）を有し、この印字ヘッドでＸ方向に搬送停止状態とされているレシート用紙Ｒおよびジャーナル用紙Ｊの双方幅方向に当該各プリント情報をプリントすることができる。なお、印字ヘッドは、Ｙ方向への往復移動型でもＹ方向全域をカバー可能な静止型でもよい。
【００２８】
入出力ポート（Ｉ／Ｏ）２８には、用紙搬送装置の一部を構成する用紙搬送ローラー用のモータ３０Ｍ，押圧機構（および昇降機構）であるシリンダ（図示省略）駆動用のソレノイド３１Ｓおよび巻取リール３５用のモータ３０Ｍが各ドライバを介して接続されている。
【００２９】
また、通信用インターフェイス（図示省略）には、データ通信回線網（例えば、ＬＡＮ）を介して各ターミナル（１０）を一括管理する上位機（ストアコントローラ）が接続されている。なお、小規模な商品販売データ処理システムでは上位機がない場合でもシステムを構築することができる。
【００３０】
図３，図４において、レシートロール用紙ＲＲから引き出したレシート用紙Ｒおよびジャーナルロール用紙ＲＪから引き出されたジャーナル用紙Ｊは、用紙フィードローラー３０上で、当該用紙フィードローラー３０の長手（Ｙ）方向に並列セットされる。
【００３１】
この際、ジャーナル用紙Ｊの先端（図３で右側）は、リールシャフト３５Ｓに固定化される。また、レシート用紙Ｒの先端側は、カッター（図示省略）を通す。
【００３２】
図３の係合分離ローラー３１は、用紙フィードローラー３０に係合分離される。係合状態で押圧機構（押圧ローラー）として働き、レシート用紙Ｒおよびジャーナル用紙Ｊの双方を、用紙フィードローラー３０の外周面に所定圧力で押圧しつつＸ方向に同量だけ双方同期搬送可能に作用する。
【００３３】
なお、分離状態では、用紙フィードローラー３０を回転させたとしても、レシート用紙Ｒおよびジャーナル用紙Ｊのいずれをも搬送することはできない。
【００３４】
すなわち、係合分離ローラー３１は、駆動制御部（ＣＰＵ１１，ＲＯＭ１２）でソレノイド３１Ｓを励磁・励磁解除することにより、押圧機構を兼用する昇降機構（エアーシリンダ…図示省略）でＺ方向に昇降され、用紙フィードローラー３０の上部側周面に離隔接近される。
【００３５】
巻取リール３５は、巻芯であるリールシャフト３５Ｓの両側端に１対のリール側板３５Ｔが設けられかつモータ３５Ｍによって巻取回転される。この巻取リール３５によるジャーナル用紙Ｊの巻取速度（搬送速度）は、モータ３０Ｍで回転される用紙フィードローラー３０による場合の搬送速度と同一速度に調整されている。
【００３６】
なお、用紙フィードローラー３０と巻取リール３５とを、同一の駆動源（例えば、モータ３０Ｍまたは３５Ｍあるいはその他のモータ等）の回転動力でかつ必要によってベルトや歯車機構を介して、回転駆動することによりジャーナル用紙Ｊの搬送速度と巻取リール３５の巻取速度（搬送速度）とを同一速度とするように形成することができる。かくすれば、ジャーナル用紙Ｊ（他方用紙）の安定した搬送・巻取を担保しつつ、大幅な構造簡単化および低コスト化を促進できる。
【００３７】
搬送駆動制御部（ＣＰＵ１１，ＲＯＭ１２）は、搬送指令でソレノイド３１Ｓを励磁して押圧ローラー（係合分離ローラー３１）をＺ方向に下降させかつレシート用紙Ｒおよびジャーナル用紙Ｊの双方を用紙フィードローラー３０の外周面に所定で押圧する。つまり、係合状態とする（図５のＳＴ１０）。
【００３８】
ここで、レシート用紙Ｒおよびジャーナル用紙Ｊの双方搬送が選択（ＳＴ１１のＮＯ）されると、モータ３０Ｍを回転させて用紙フィードローラー３０を回転駆動（ＳＴ１３）するとともに、モータ３５Ｍを回転させて巻取リール３５（３５Ｓ，３５Ｔ）を回転駆動（ＳＴ１４）する。
【００３９】
かくして、レシート用紙Ｒおよびジャーナル用紙Ｊの双方をＸ方向に同量だけ同期搬送することができる。この際、レシート用紙Ｒはカッターで切断されるが、ジャーナル用紙Ｊは巻取リール３５に巻き取られる。かかる搬送終了（ＳＴ１５のＹＥＳ）で、モータ３５Ｍが停止され巻取リール３５は回転停止（ＳＴ１６）される。
【００４０】
ジャーナル用紙Ｊのみの搬送が選択（ＳＴ１１のＹＥＳ）されると、搬送駆動制御部（１１，１２）は、ソレノイド３１Ｓの励磁を解いて押圧ローラー（係合分離ローラー３１）をＺ方向に上昇させかつレシート用紙Ｒおよびジャーナル用紙Ｊの用紙フィードローラー３０の外周面への押圧を解除する。つまり、双方係合分離状態とする（ＳＴ１２）。
【００４１】
この場合は、モータ３０Ｍを回転させて用紙フィードローラー３０を回転駆動することなく、モータ３５Ｍを回転させて巻取リール３５（３５Ｓ，３５Ｔ）を回転駆動（ＳＴ１４）する。すると、ジャーナル用紙ＪのみをＸ方向に搬送することができる。レシート用紙Ｒは、停止したままである。
【００４２】
かかる実施形態によれば、用紙フィードローラー３０を所定方向に回転（図５のＳＴ１３）させると、当該用紙フィードローラー３０の長手（Ｙ）方向に並列セットされかつ当該用紙フィードローラー３０と係合状態にあるプリント対象の一方用紙（Ｒ）および他方用紙（Ｊ）をＸ方向に双方同時搬送することができる。また、搬送後の他方用紙（Ｊ）を搬送方向下流側に配設された巻取リール３５の回転力を利用して当該巻取リール３５に巻取ることができる。
【００４３】
一方用紙（Ｒ）および他方用紙（Ｊ）と用紙フィードローラー３０とを係合解除状態に選択的に切替える（ＳＴ１２）と、用紙フィードローラー３０の回転によっては当該一方用紙（Ｒ）および他方用紙（Ｊ）を同時に搬送することが不能になる。この双方係合解除状態に選択切替された後に、巻取リール３５が回転（ＳＴ１４）されると、当該巻取リール３５の回転力を利用して他方用紙（Ｊ）のみをＸ方向に搬送させつつ当該巻取リール３５に巻取ることができる。
【００４４】
すなわち、選択的に一方用紙（Ｒ）を搬送させずにかつ他方用紙（Ｊ）のみをＸ方向に搬送しつつ巻取リール３５に巻取ることができる。よって、小型化および低コスト化を図りつつ、プリント情報量が少ない方のあるいはプリントしない方の一方用紙（Ｒ）の無駄な消費を防止することができる。
【００４５】
さらに、一方用紙がレシート用紙Ｒで他方用紙がジャーナル用紙Ｊとされているので、選択的にレシート用紙Ｒを搬送させずにかつジャーナル用紙ＪのみをＸ方向に搬送しつつ巻取リール３５に巻取ることができる。よって、レシート用紙Ｒの無駄遣いを防止できる。
【００４６】
また、用紙フィードローラー３０によるジャーナル用紙Ｊの搬送速度と，巻取リール３５によるジャーナル用紙Ｊの巻取速度（搬送速度）とを同一速度にすることができるように駆動源を共通型に構築すれば、ジャーナル用紙Ｊの安定した搬送・巻取を担保しつつ、商品販売データ処理システム全体としての大幅な構造簡単化，消費電力の軽減化および低コスト化を促進できる。
【００４７】
【発明の効果】
請求項１の発明によれば、用紙フィードローラーと係合状態にある一方用紙および他方用紙を当該用紙フィードローラーの回転により搬送方向に双方同時搬送可能、搬送後の他方用紙を搬送方向下流側に配設された巻取リールの回転力を利用して巻取可能かつ一方用紙および他方用紙と用紙フィードローラーとを係合解除状態に選択的に切替えて一方用紙および他方用紙を用紙フィードローラーの回転によっては双方同時搬送不能に形成し、この双方同時搬送不能状態において巻取リールの回転力を利用して巻取りつつ他方用紙のみを搬送方向に搬送可能に形成されたプリンタの用紙搬送装置であるから、選択的に一方用紙を搬送させずにかつ他方用紙のみを所定方向に搬送しつつ巻取リールに巻取ることができる。よって、小型化および低コスト化を図りつつ、プリント情報量が少ない方のあるいはプリントしない方の一方用紙の無駄な消費を防止することができる。
【００４８】
また、請求項２の発明によれば、他方用紙の搬送に関して同一の駆動源で回転される用紙フィードローラーによる搬送速度と，巻取リールによる搬送速度とが同一速度となるように形成されているので、請求項１の発明の場合と同様な効果を奏することができることに加え、さらに他方用紙の安定した搬送・巻取を担保しつつ、大幅な構造簡単化および低コスト化を促進できる。
【００４９】
さらに、請求項３の発明によれば、請求項１または請求項２記載のプリンタの用紙搬送装置を具備し、一方用紙がレシート用紙でかつ他方用紙がジャーナル用紙とされている商品販売データ処理システムであるから、選択的にレシート用紙を搬送させずにかつジャーナル用紙のみを所定方向に搬送しつつ巻取リールに巻取ることができる。よって、レシート用紙の無駄遣いを防止できる。また、ジャーナル用紙の安定した搬送・巻取を担保しつつ、商品販売データ処理システム全体としての大幅な構造簡単化，消費電力の軽減化および低コスト化を促進できる。
【図面の簡単な説明】
【図１】本発明の実施形態に係る電子キャッシュレジスタを説明するためのブロックである。
【図２】同じく、外観斜視図である。
【図３】同じく、用紙搬送装置を説明する側面図である。
【図４】同じく、用紙搬送装置を説明する平面図である。
【図５】同じく、用紙搬送動作を説明するためのフローチャートである。
【符号の説明】
１０  電子キャッシュレジスタ（商品販売データ処理システム）
１７  表示器
１８  プリンタ
３０  用紙フィードローラー
３０Ｍ  モータ
３１  係合分離ローラー
３１Ｓ  ソレノイド
３２  ロッド
３５  巻取リール
３５Ｓ  リール巻取シャフト
３５Ｔ  リール側板
３５Ｍ  リール巻取モータ
ＲＲ  レシートロール用紙
Ｒ  レシート用紙（一方用紙）
ＲＪ  ジャーナルロール用紙
Ｊ  ジャーナル用紙（他方用紙）
Ｘ  搬送方向
【図１】
0003722274.tif 000002
【図２】
0003722274.tif 000003
【図３】
0003722274.tif 000004
【図４】
0003722274.tif 000005
【図５】
0003722274.tif 000006